(57)【要約】【課題】  画像形成装置のプリントジョブ格納ボックスにファイルを投入する際に、印刷属性を容易に設定することができるようにする。【解決手段】  プリントジョブ格納ボックス（００番、０２番〜０４番）３０７、３０８〜３１１に、ダイレクトプリント用の印刷属性を設定しておき、ダイレクトプリント時に、外部デバイス１０２〜１０４に格納されているファイルのリストを表示して、ユーザに所望のファイルを選択させるようにするとともに、ダイレクトプリント画面９０１、１１０１を表示して、ユーザに所望のプリントジョブ格納ボックス（０４番）３１１を選択させるようにする。そして、選択されたプリントジョブ格納ボックス（０４番）３１１に設定されている印刷属性で、選択されたファイルをダイレクトプリントする。【選択図】  図１
2005161728.tif 000002
【特許請求の範囲】
【請求項１】
プリントジョブ格納ボックスに対して、ダイレクトプリント時に適用する印刷属性を設定する印刷属性設定手段と、
前記印刷属性設定手段により印刷属性が設定されたプリントジョブ格納ボックスを表示するプリントジョブ格納ボックス表示手段と、
前記プリントジョブ格納ボックス表示手段により表示されたプリントジョブ格納ボックスの中からユーザにより選択されたプリントジョブ格納ボックスに設定されている印刷属性を使用して、外部デバイスに格納されているファイルをダイレクトプリントするダイレクトプリント手段とを有することを特徴とする画像形成装置。
【請求項２】
前記外部デバイスに格納されているファイルのリストを取得するファイルリスト取得手段を有し、
前記ダイレクトプリント手段は、前記ファイルリスト取得手段により取得されたファイルのリストの中からユーザにより選択されたファイルをダイレクトプリントすることを特徴とする請求項１に記載の画像形成装置。
【請求項３】
前記プリントジョブ格納ボックス表示手段は、前記ファイルリスト取得手段により取得されたファイルのリストの内容に応じて、印刷に適した印刷属性が設定されているプリントジョブ格納ボックスを表示することを特徴とする請求項２に記載の画像形成装置。
【請求項４】
前記プリントジョブ格納ボックス表示手段は、前記ファイルリスト取得手段により取得されたファイルのリストのファイル数に基づいて、印刷に適した印刷属性が設定されているプリントジョブ格納ボックスを表示することを特徴とする請求項３に記載の画像形成装置。
【請求項５】
前記プリントジョブ格納ボックス表示手段は、前記ファイルリスト取得手段により取得されたファイルのリストのファイルフォーマットに基づいて、印刷に適した印刷属性が設定されているプリントジョブ格納ボックスを表示することを特徴とする請求項３に記載の画像形成装置。
【請求項６】
前記外部デバイスの種類を判別するデバイス判別手段を有し、
前記プリントジョブ格納ボックス表示手段は、前記デバイス判別手段により判別された外部デバイスに適用されるプリントジョブ格納ボックスを表示することを特徴とする請求項１〜５の何れか１項に記載の画像形成装置。
【請求項７】
プリントジョブ格納ボックスに対して、ダイレクトプリント時に適用する印刷属性を設定する印刷属性設定手段と、
外部デバイスの種類を判別するデバイス判別手段と、
前記デバイス判別手段により判別された外部デバイスに適用される印刷属性に関わる情報を、前記外部デバイスに送信する印刷属性送信手段と、
前記印刷属性送信手段により送信された印刷属性に関わる情報に基づいて前記外部デバイスで選択された印刷属性を使用して、前記外部デバイスに格納されているファイルをダイレクトプリントするダイレクトプリント手段とを有することを特徴とする画像形成装置。
【請求項８】
前記印刷属性設定手段は、プリントジョブ格納ボックスに対して、印刷属性と、その印刷属性に適した外部デバイスとを設定することを特徴とする請求項１〜７の何れか１項に記載の画像形成装置。
【請求項９】
前記外部デバイスとの接続を行うための接続媒体を介して前記外部デバイスと通信を行う通信手段とを有することを特徴とする請求項１〜８の何れか１項に記載の画像形成装置。
【請求項１０】
前記プリントジョブ格納ボックス表示手段は、ネットワークに接続されている他の画像形成装置のプリントジョブ格納ボックスを表示することを特徴とする請求項１〜６の何れか１項に記載の画像形成装置。
【請求項１１】
画像形成装置でダイレクトプリントされるファイルを格納する情報端末装置であって、
前記ファイルのリストを表示するファイルリスト表示手段と、
前記画像形成装置から送信された印刷属性に関わる情報を表示する印刷属性表示手段と、
前記ファイル表示手段により表示されたファイルの中からユーザにより選択されたファイルと、前記印刷属性表示手段により表示された印刷属性に関わる情報の中からユーザにより選択された印刷属性に関わる情報とを前記画像形成装置に送信する送信手段とを有することを特徴とする情報端末装置。
【請求項１２】
プリントジョブ格納ボックスに対して、ダイレクトプリント時に適用する印刷属性を設定する印刷属性設定ステップと、
前記印刷属性設定ステップにより印刷属性が設定されたプリントジョブ格納ボックスを表示するプリントジョブ格納ボックス表示ステップと、
前記プリントジョブ格納ボックス表示ステップにより表示されたプリントジョブ格納ボックスの中からユーザにより選択されたプリントジョブ格納ボックスに設定されている印刷属性を使用して、外部デバイスに格納されているファイルをダイレクトプリントするダイレクトプリントステップとを有することを特徴とする画像形成方法。
【請求項１３】
前記外部デバイスに格納されているファイルのリストを取得するファイルリスト取得ステップを有し、
前記ダイレクトプリントステップは、前記ファイルリスト取得ステップにより取得されたファイルのリストの中からユーザにより選択されたファイルをダイレクトプリントすることを特徴とする請求項１２に記載の画像形成方法。
【請求項１４】
前記プリントジョブ格納ボックス表示ステップは、前記ファイルリスト取得ステップにより取得されたファイルのリストの内容に応じて、印刷に適した印刷属性が設定されているプリントジョブ格納ボックスを表示することを特徴とする請求項１３に記載の画像形成方法。
【請求項１５】
前記プリントジョブ格納ボックス表示ステップは、前記ファイルリスト取得ステップにより取得されたファイルのリストのファイル数に基づいて、印刷に適した印刷属性が設定されているプリントジョブ格納ボックスを表示することを特徴とする請求項１４に記載の画像形成方法。
【請求項１６】
前記プリントジョブ格納ボックス表示ステップは、前記ファイルリスト取得ステップにより取得されたファイルのリストのファイルフォーマットに基づいて、印刷に適した印刷属性が設定されているプリントジョブ格納ボックスを表示することを特徴とする請求項１４に記載の画像形成方法。
【請求項１７】
前記外部デバイスの種類を判別するデバイス判別ステップを有し、
前記プリントジョブ格納ボックス表示ステップは、前記デバイス判別ステップにより判別された外部デバイスに適用されるプリントジョブ格納ボックスを表示することを特徴とする請求項１２〜１６の何れか１項に記載の画像形成方法。
【請求項１８】
プリントジョブ格納ボックスに対して、ダイレクトプリント時に適用する印刷属性を設定する印刷属性設定ステップと、
外部デバイスの種類を判別するデバイス判別ステップと、
前記デバイス判別ステップにより判別された外部デバイスに適用される印刷属性に関わる情報を、前記外部デバイスに送信する印刷属性送信ステップと、
前記印刷属性送信ステップにより送信された印刷属性に関わる情報に基づいて前記外部デバイスで選択された印刷属性を使用して、前記外部デバイスに格納されているファイルをダイレクトプリントするダイレクトプリントステップとを有することを特徴とする画像形成方法。
【請求項１９】
前記印刷属性設定ステップは、プリントジョブ格納ボックスに対して、印刷属性と、その印刷属性に適した外部デバイスとを設定することを特徴とする請求項１２〜１８の何れか１項に記載の画像形成方法。
【請求項２０】
前記外部デバイスとの接続を行うための接続媒体を介して前記外部デバイスと通信を行う通信ステップとを有することを特徴とする請求項１２〜１９の何れか１項に記載の画像形成方法。
【請求項２１】
前記プリントジョブ格納ボックス表示ステップは、ネットワークに接続されている他の画像形成方法のプリントジョブ格納ボックスを表示することを特徴とする請求項１２〜１７の何れか１項に記載の画像形成方法。
【請求項２２】
プリントジョブ格納ボックスに対して、ダイレクトプリント時に適用する印刷属性を設定する印刷属性設定ステップと、
前記印刷属性設定ステップにより印刷属性が設定されたプリントジョブ格納ボックスを表示するプリントジョブ格納ボックス表示ステップと、
前記プリントジョブ格納ボックス表示ステップにより表示されたプリントジョブ格納ボックスの中からユーザにより選択されたプリントジョブ格納ボックスに設定されている印刷属性を使用して、外部デバイスに格納されているファイルをダイレクトプリントするダイレクトプリントステップとをコンピュータに実行させることを特徴とするコンピュータプログラム。
【請求項２３】
プリントジョブ格納ボックスに対して、ダイレクトプリント時に適用する印刷属性を設定する印刷属性設定ステップと、
外部デバイスの種類を判別するデバイス判別ステップと、
前記デバイス判別ステップにより判別された外部デバイスに適用される印刷属性に関わる情報を、前記外部デバイスに送信する印刷属性送信ステップと、
前記印刷属性送信ステップにより送信された印刷属性に関わる情報に基づいて前記外部デバイスで選択された印刷属性を使用して、前記外部デバイスに格納されているファイルをダイレクトプリントするダイレクトプリントステップとをコンピュータに実行させることを特徴とするコンピュータプログラム。
【請求項２４】
前記請求項２２又は２３に記載のコンピュータプログラムを記録したことを特徴とするコンピュータ読み取り可能な記録媒体。
【発明の詳細な説明】
【技術分野】
【０００１】
本発明は、画像形成装置、情報端末装置、画像形成方法、コンピュータプログラム、及びコンピュータ読み取り可能な記録媒体に関し、特に、外部デバイスに格納されているファイルをダイレクトプリントするために用いて好適なものである。
【背景技術】
【０００２】
従来、デバイスをプリンタに直接接続してダイレクトプリントを実行する際、印刷属性の設定は、以下のようにして行われていた。
第１に、デバイスにユーザインターフェースパネルがある場合には、そのユーザインターフェースパネルに設定項目を表示し、表示した設定項目に基づいてユーザがデバイスを操作して所望の印刷属性を設定し、設定した印刷属性でダイレクトプリントを行っていた。
第２に、プリンタ側にユーザインターフェースパネルがある場合には、そのユーザインターフェースパネルに設定項目を表示し、表示した設定項目に基づいてユーザがプリンタを操作して所望の印刷属性を指定し、指定した印刷属性でダイレクトプリントを行っていた。
また、印刷属性をより簡単に指定する方法として、デジタルカメラのダイレクトプリントにおいて、印刷属性が設定されているシートを、デジタルカメラの撮影機能を使用して指定する、などの方法も提案されている（例えば、特許文献１を参照）。
【０００３】
【特許文献１】特開平１０−２９４９１８号公報
【発明の開示】
【発明が解決しようとする課題】
【０００４】
しかしながら、前記従来例では、操作パネルを持たないデバイスや、操作パネルが小さなデバイスをプリンタに接続してダイレクトプリントを行う場合、デバイスのボタンや小さな操作パネルを操作して印刷属性を指定しなければならなかった。このため、ダイレクトプリントする場合には、印刷属性を指定するための操作性が悪くなるという課題があった。
【０００５】
本発明は、上述の課題に鑑みてなされたものであり、画像形成装置のプリントジョブ格納ボックスにファイルを投入する際に、印刷属性を容易に指定することができるようにすることを目的とする。
【課題を解決するための手段】
【０００６】
本発明の画像形成装置は、プリントジョブ格納ボックスに対して、ダイレクトプリント時に適用する印刷属性を設定する印刷属性設定手段と、前記印刷属性設定手段により印刷属性が設定されたプリントジョブ格納ボックスを表示するプリントジョブ格納ボックス表示手段と、前記プリントジョブ格納ボックス表示手段により表示されたプリントジョブ格納ボックスの中からユーザにより選択されたプリントジョブ格納ボックスに設定されている印刷属性を使用して、外部デバイスに格納されているファイルをダイレクトプリントするダイレクトプリント手段とを有することを特徴とする。
また、本発明の他の特徴とするところは、プリントジョブ格納ボックスに対して、ダイレクトプリント時に適用する印刷属性を設定する印刷属性設定手段と、外部デバイスの種類を判別するデバイス判別手段と、前記デバイス判別手段により判別された外部デバイスに適用される印刷属性に関わる情報を、前記外部デバイスに送信する印刷属性送信手段と、前記印刷属性送信手段により送信された印刷属性に関わる情報に基づいて前記外部デバイスで選択された印刷属性を使用して、前記外部デバイスに格納されているファイルをダイレクトプリントするダイレクトプリント手段とを有することを特徴とする。
本発明の情報端末装置は、画像形成装置でダイレクトプリントされるファイルを格納する情報端末装置であって、前記ファイルのリストを表示するファイルリスト表示手段と、前記画像形成装置から送信された印刷属性に関わる情報を表示する印刷属性表示手段と、前記ファイル表示手段により表示されたファイルの中からユーザにより選択されたファイルと、前記印刷属性表示手段により表示された印刷属性に関わる情報の中からユーザにより選択された印刷属性に関わる情報とを前記画像形成装置に送信する送信手段とを有することを特徴とする。
【０００７】
本発明の画像形成方法は、プリントジョブ格納ボックスに対して、ダイレクトプリント時に適用する印刷属性を設定する印刷属性設定ステップと、前記印刷属性設定ステップにより印刷属性が設定されたプリントジョブ格納ボックスを表示するプリントジョブ格納ボックス表示ステップと、前記プリントジョブ格納ボックス表示ステップにより表示されたプリントジョブ格納ボックスの中からユーザにより選択されたプリントジョブ格納ボックスに設定されている印刷属性を使用して、外部デバイスに格納されているファイルをダイレクトプリントするダイレクトプリントステップとを有することを特徴とする。
また、本発明の他の特徴とするところは、プリントジョブ格納ボックスに対して、ダイレクトプリント時に適用する印刷属性を設定する印刷属性設定ステップと、外部デバイスの種類を判別するデバイス判別ステップと、前記デバイス判別ステップにより判別された外部デバイスに適用される印刷属性に関わる情報を、前記外部デバイスに送信する印刷属性送信ステップと、前記印刷属性送信ステップにより送信された印刷属性に関わる情報に基づいて前記外部デバイスで選択された印刷属性を使用して、前記外部デバイスに格納されているファイルをダイレクトプリントするダイレクトプリントステップとを有することを特徴とする。
【０００８】
本発明のコンピュータプログラムは、プリントジョブ格納ボックスに対して、ダイレクトプリント時に適用する印刷属性を設定する印刷属性設定ステップと、前記印刷属性設定ステップにより印刷属性が設定されたプリントジョブ格納ボックスを表示するプリントジョブ格納ボックス表示ステップと、前記プリントジョブ格納ボックス表示ステップにより表示されたプリントジョブ格納ボックスの中からユーザにより選択されたプリントジョブ格納ボックスに設定されている印刷属性を使用して、外部デバイスに格納されているファイルをダイレクトプリントするダイレクトプリントステップとをコンピュータに実行させることを特徴とする。
また、本発明の他の特徴とするところは、プリントジョブ格納ボックスに対して、ダイレクトプリント時に適用する印刷属性を設定する印刷属性設定ステップと、外部デバイスの種類を判別するデバイス判別ステップと、前記デバイス判別ステップにより判別された外部デバイスに適用される印刷属性に関わる情報を、前記外部デバイスに送信する印刷属性送信ステップと、前記印刷属性送信ステップにより送信された印刷属性に関わる情報に基づいて前記外部デバイスで選択された印刷属性を使用して、前記外部デバイスに格納されているファイルをダイレクトプリントするダイレクトプリントステップとをコンピュータに実行させることを特徴とする。
本発明のコンピュータ読み取り可能な記録媒体は、前記記載のコンピュータプログラムを記録したことを特徴とする。
【発明の効果】
【０００９】
本発明によれば、ダイレクトプリントを行う際の印刷属性を簡便に指定することができる。
【発明を実施するための最良の形態】
【００１０】
（第１の実施形態）
次に、図面を参照しながら、本発明の実施形態について説明する。
図１は、本実施形態のダイレクトプリントシステムの構成の一例を示した図である。
図１において、１０１はプリンタである。このプリンタ１０１は、外部デバイス１０２〜１０４を接続する外部デバイス接続手段と、この外部デバイス接続手段を介して外部デバイス１０２〜１０４と通信を行う通信手段と、前記外部デバイスの種類を判別するデバイス判別手段と、外部デバイス１０２〜１０４に格納されているファイルのリストを取得するファイルリスト取得手段と、前記ファイルリスト取得手段により取得したファイルリストをプリンタ１０１のパネルに表示して、ユーザが印刷するファイルを選択する印刷ファイル選択手段と、前記印刷ファイル選択手段により選択されたファイルをプリントするダイレクトプリント手段とを有している。
【００１１】
さらに、このプリンタ１０１は、プリントジョブ格納ボックスを有している。そして、このプリントジョブ格納ボックスは、ダイレクトプリント時に適用する印刷属性を設定するダイレクトプリント印刷属性設定手段と、前記プリントジョブ格納ボックスに設定した印刷属性を適用するのに適した外部デバイス１０２〜１０４を設定する適用デバイス設定手段と、前記デバイス種判別手段により判別された外部デバイス１０２〜１０４の種類が適用デバイスであるプリントジョブ格納ボックスを表示するプリントジョブ格納ボックス表示手段と、ユーザがダイレクトプリントに使用する印刷属性が設定されているファイル格納ボックスを選択するファイル格納ボックス選択手段とを有する。
【００１２】
以上のような機能を有するプリンタ１０１は、プリンタ１０１の処理動作を統括制御するＣＰＵと、制御プログラムなどを格納するＲＯＭと、前記制御プログラムをＣＰＵが実行する際のワークメモリなどとして機能するＲＡＭと、外部デバイス１０２〜１０４などと通信を行うための通信インターフェースと、本体操作パネル（例えば液晶ディスプレイ装置）や操作ボタンなどを含むユーザインターフェースと、外部デバイス１０２〜１０４に格納されているファイルの内容を用紙に可視化させるためのプリント機構とを備えて構成されている。
【００１３】
１０２〜１０４は、このプリンタ１０１に接続してダイレクトプリントを行う外部デバイスである。具体的に、１０２はデジタルカメラ、１０３はストレージメディア、１０４はＰＤＡである。また、外部デバイス１０２〜１０４は、プリンタ１０１と接続媒体１０５を使用して接続する。この接続媒体としては、例えば、ＵＳＢや、ＩＥＥＥ１３９４ケーブルなどを用いればよい。
【００１４】
本実施形態で説明するダイレクトプリントシステムは、外部デバイス１０２〜１０４をプリンタ１０１に接続して、外部デバイス１０２〜１０４に保存されているファイルをプリンタ１０１の本体操作パネルの操作に基づいてダイレクトプリントするものである。
本実施形態のダイレクトプリントの特徴は、プリンタ１０１が持っているプリントジョブ格納ボックスに対して、ダイレクトプリント用の印刷属性を設定し、ダイレクトプリントを行う際に、所望の印刷属性が設定されているプリントジョブ格納ボックスを選択し、そのプリントジョブ格納ボックスに設定されている印刷属性でダイレクトプリントすることにある。
【００１５】
続いて、外部デバイス１０２〜１０４に保存されているファイルをダイレクトプリントする過程を、大きく２つの工程に分けて説明する。
１つ目の工程は、プリンタ１０１上でダイレクトプリントをするための印刷属性を、プリントジョブ格納ボックスに設定する手順である。２つ目の工程は、外部デバイス１０２〜１０４をプリンタ１０１に接続して、ユーザが所望の印刷属性を選択してダイレクトプリントする手順である。
【００１６】
まず、１つ目の工程である、プリンタ１０１上でダイレクトプリントをするための印刷属性を、プリントジョブ格納ボックスに設定する手順を説明する。
図２は、印刷属性をプリントジョブ格納ボックスに設定する際の手順の一例を説明するフローチャートである。
まず、ステップＳ２０２において、本体操作パネルのユーザによる操作に基づいて、プリントジョブ格納ボックスに対して、ダイレクトプリント用の印刷属性を設定する。
次に、ステップＳ２０３において、ユーザの操作パネルの操作に基づいて、設定した印刷属性が、どの外部デバイス１０２〜１０４に適しているのかを設定する。
【００１７】
次に、プリンタ１０１の本体操作パネル上で、具体的にどのように設定を行うのかを図３から図５を用いて説明する。図３から図５は、プリンタ１０１の本体操作パネルに表示されるユーザインターフェースを示している。
まず、図３は、プリントジョブ格納ボックスを操作するためのボックス操作画面の一例を示した図である。
図３において、３０１はボックス操作画面である。３０２は、表示項目の説明欄であり、図に向かって左から、ボックス番号表示欄３０３、ボックス名称表示欄３０４、ダイレクトプリント印刷属性表示欄３０５、およびダイレクトプリント印刷属性設定欄３０６が配置されている。また、３０７〜３１１は、プリントジョブ格納ボックスである。
【００１８】
図３に示したこのボックス操作画面３０１には、プリントジョブ格納ボックス（００番）３０７からプリントジョブ格納ボックス（０４番）３１１までの４つのプリントジョブ格納ボックスが表示されているが、プリントジョブ格納ボックスの数は、５個に限定されない。プリンタによっては、例えば、プリントジョブ格納ボックス（００番）からプリントジョブ格納ボックス（９９番）までの１００個のプリントジョブ格納ボックスがあってもよい。なお、６個以上のプリントジョブ格納ボックスがある場合には、これらのプリントジョブ格納ボックスが１画面に収まらないため、スクロールボタン（上下表示ボタン）３１２、３１３を押すことにより、他のプリントジョブ格納ボックスを表示することが可能となる。また、３１４は、ボックス操作画面３０１を閉じるための終了ボタンである。
【００１９】
前述したように、このボックス操作画面３０１には、プリントジョブ格納ボックス（００番）３０７からプリントジョブ格納ボックス（０４番）３１１までの５個のプリントジョブ格納ボックスが表示されており、プリントジョブ格納ボックス（０１番）３０８以外のプリントジョブ格納ボックスには、それぞれダイレクトプリント用の印刷属性が設定されている。
プリントジョブ格納ボックス（００番）３０７は、「第一課」という名称がつけられているプリントジョブ格納ボックスである。このプリントジョブ格納ボックス（００番）３０７には、ダイレクトプリント用の印刷属性も設定されており、その印刷属性はデフォルトの設定となっている。このように、デフォルトの設定となっている場合には、ダイレクトプリント属性表示欄３０５に、「デフォルト」という言葉を表示するようにしている。
【００２０】
プリントジョブ格納ボックス（０１番）３０８は、「第二課」という名称がつけられているプリントジョブ格納ボックスである。このプリントジョブ格納ボックス（０１番）３０８には、ダイレクトプリント用の印刷属性は設定されていない。この場合には、ダイレクトプリント属性表示欄３０５に、「設定なし」という言葉を表示するようにしている。
プリントジョブ格納ボックス（０２番）３０９は、名称がつけられていないプリントジョブ格納ボックスである。このプリントジョブ格納ボックス（０２番）３０９には、ダイレクトプリント用の印刷属性も設定されており、その印刷属性は両面の設定となっている。このように、両面の設定となっている場合には、ダイレクトプリント属性表示欄３０５に、「両面」という言葉を表示するようにしている。
【００２１】
なお、本実施形態では、ダイレクトプリント用に設定されている印刷属性がデフォルトでない場合、すべての印刷属性を表示するのではなく、デフォルト設定に対して異なる印刷属性のみを表示することとする。また、ダイレクトプリント属性表示欄３０５に、設定した印刷属性を表示できない場合は、表示できる部分まで最大限表示し、表示できなかったことを示す「…」を最後に付加することとする。この場合、設定ボタン３０６ａ〜３０６ｅを押下して、設定した印刷属性を表示するための印刷属性設定画面を表示させるようにする。ユーザは、この印刷属性設定画面を見て設定した印刷属性を確認する。
【００２２】
プリントジョブ格納ボックス（０３番）３１０は、「総務課」という名称がつけられているプリントジョブ格納ボックスである。このプリントジョブ格納ボックス（０３番）３１０には、ダイレクトプリント用の印刷属性も設定されており、その印刷属性は左上ステープルの設定となっている。プリントジョブ格納ボックス（０４番）３１１は、名称がつけられていないプリントジョブ格納ボックスである。このプリントジョブ格納ボックス（０４番）３１１は、ダイレクトプリント用の印刷属性も設定されており、その印刷属性はサムネイルの設定となっている。
【００２３】
次に、プリントジョブ格納ボックスに対して、ダイレクトプリント用の印刷属性を設定する方法を説明する。ここでは一例として、プリントジョブ格納ボックス（０２番）３０９に対して印刷属性を設定する方法を示す。
まず、ボックス操作画面３０１において、ユーザは、プリントジョブ格納ボックス（０２番）３０９に対する「設定」ボタン３０６ｃを押下する。その押下動作により、図４に示すダイレクトプリント印刷属性設定画面４０１が表示される。このダイレクトプリント印刷属性設定画面４０１は、ユーザにより指定されたプリントジョブ格納ボックス（０２番）３０９に対して、ダイレクトプリント用の印刷属性を設定する画面である。
【００２４】
図４において、４０４は、指定されたプリントジョブ格納ボックスに対して、ダイレクトプリント用の印刷属性を設定するかどうかを指定するチェックボックスである。また、４０２は、印刷属性表示欄であり、４０３は、各印刷属性の具体的な内容を表示する印刷属性設定値表示欄（リストボックス）である。具体的に、４０５は、片面印刷を行うか、又は両面印刷を行うか（片面/両面）を設定するリストボックスである。４０６は、カラーモードを設定するリストボックスである。４０７は、縮小レイアウトを設定するリストボックスである。４０８は、ステープル位置を指定するリストボックスである。
図３に示したように、プリントジョブ格納ボックス（０２番）３０９に対しては、両面印刷属性を設定するため、片面/両面を指定するリストボックス４０５において、両面を指定する。また、ダイレクトプリント印刷属性は、印刷属性に適する外部デバイスがあるため、この印刷属性の設定をどの種類の外部デバイスに適用するかを、適用デバイス設定リストボックス４０９で指定する。この場合、両面指定は主にビジネス文書などに使用され、デジタルカメラやスキャナなどの画像にはあまり使用されないことから、適用する外部デバイスとして、ストレージデバイス１０３とＰＤＡ１０４とが指定されている。なお、印刷属性が他にもある場合、このダイレクトプリント印刷属性設定画面４０１では一度に表示することができないので、他の属性を表示させるスクロールボタン４１０、４１１がある。４１２は、設定を無効にして、ボックス操作画面４０１に戻るキャンセルボタンである。４１３は、設定を有効にしてボックス操作画面４０１に戻るＯＫボタンである。
【００２５】
次に、前述したダイレクトプリント印刷属性が適用される外部デバイス１０２〜１０４を設定する方法について説明する。
まず、ダイレクトプリント印刷属性設定画面４０１において、適用する外部デバイスを設定するため、適用デバイス設定リストボックス４０９を押下する。この押下動作により、図５に示すような、ダイレクトプリント印刷属性の適用デバイス設定画面５０１が表示される。ユーザは、この適用デバイス設定画面５０１に表示されているチェックボックスをチェックすることで、適用したい外部デバイスを指定する。例えば、プリントジョブ格納ボックス（０２番）３０９の両面設定に対しては、ストレージデバイス１０３あるいはＰＤＡ１０４に保存されている文書ファイルを印刷するのが適切であるため、ストレージデバイスチェックボックス５０４と、ＰＤＡチェックボックス５０５とにチェックをつける。なお、デフォルト設定などの印刷属性が設定されている場合には、すべてのデバイスに印刷属性を適用することができるため、ユーザは、「すべて」チェックボックス５０２にチェックをつける。また、５０７は、設定を保存しないでダイレクトプリント印刷属性設定画面４０１に戻るキャンセルボタンである。５０８は、設定を保存してダイレクトプリント印刷属性設定画面４０１に戻るＯＫボタンである。
【００２６】
次に、ダイレクトプリント印刷属性設定画面４０１を用いてプリントジョブ格納ボックス（００番〜０４番）３０７〜３１１に設定されたダイレクトプリント用の印刷属性を、プリンタ１０１に保存する方法について説明する。
図２の示した手順により各プリントジョブ格納ボックス（００番、０２番〜０４番）３０７、３０９〜３１１に設定されたダイレクトプリント用の印刷属性は、プリンタ１０１内の記録媒体に記録される。図６は、ダイレクトプリント用の印刷属性の記録内容の一例を示した図であり、ダイレクトプリント用の印刷属性は、前記プリンタ１０１内の記録媒体にテーブル６０１の形式で保存されるものとする。
本実施形態では、図６に示すように、ダイレクトプリント用の印刷属性が設定されているボックス番号６０２に対し、片面/両面６０３、カラーモード６０４、縮小レイアウト６０５、ステープル６０６、および適用デバイス６０７のそれぞれの項目の設定内容を記録する。
【００２７】
なお、本実施形態では、ダイレクトプリント用の印刷属性が設定されているプリントジョブ格納ボックス（００番、０２番〜０４番）３０７、３０９〜３１１に対する印刷属性のみがこのテーブル６０１に記録される。また、このテーブル６０１では、片面/両面６０３、カラーモード６０４、縮小レイアウト６０５、ステープル６０６、及び適用デバイス６０７の設定のみを記録する例を示しているが、これは、図６に示したテーブル６０１を、図４に示したダイレクトプリント印刷属性設定画面４０１の項目にあわせているためである。したがって、印刷属性の項目数はこの限りではないということは勿論である。
【００２８】
次に、ユーザが外部デバイス１０２〜１０４をプリンタ１０１に接続してダイレクトプリントを行う手順を説明する。ここでは、図７に示すフローチャートをもとに、２つのケースについて説明する。１つ目は、外部デバイスとしてデジタルカメラ１０２をプリンタ１０１に接続してダイレクトプリントを行うケースである。２つ目は、外部デバイスとしてストレージデバイス１０３をプリンタ１０１に接続してダイレクトプリントを行うケースである。
まず、図７のフローチャートを参照しながら、デジタルカメラ１０２をプリンタ１０１に接続してダイレクトプリントを行う方法の一例を説明する。
まず、ステップＳ７０２において、ユーザは、デジタルカメラ１０２をプリンタ１０１にＵＳＢケーブル１０５を使用して接続する。
このＵＳＢケーブル１０５の接続をきっかけとして、ステップＳ７０３において、デジタルカメラ１０２とプリンタ１０１とが接続のネゴシエーション（negotiation）を行う。このネゴシエーションにより、ステップＳ７０４において、プリンタ１０１は、接続された外部デバイスの種類がデジタルカメラ１０２であることを判別する。
【００２９】
次に、ステップＳ７０５において、プリンタ１０１は、デジタルカメラ１０２に保存されているファイルのリストを取得する。
次に、ステップＳ７０６において、ユーザがダイレクトプリントを行うファイルを選択するために、プリンタ１０１は、本体操作パネルに、ステップＳ７０５で取得したファイルのリストを表示する。
図８は、ステップＳ７０６でプリンタ１０１の本体操作パネルに表示される画面の一例を示した図である。図８において、８０１は印刷ファイル選択画面である。８０２は、ファイルをすべて選択するためのチェックボックスである。８０３〜８０７は、ステップＳ７０５で取得したファイルを選択するためのファイルリストチェックボックスである。８０８および８０９は、ファイルを一画面に表示できない場合に印刷ファイル選択画面８０１をスクロールするためのスクロールボタンである。８１０は、設定を無効にして終了するためのキャンセルボタンである。８１１は、設定を有効にして印刷操作を次のステップに進めるためのＯＫボタンである。ここでは、ファイルがすべて選択されたとする。ここでは、印刷ファイルのすべてを選択するために、ユーザがチェックボックス８０２をチェックしたとする（ステップＳ７０７）。そして、これらのファイルをダイレクトプリントするため、ユーザはＯＫボタン８１１を押下する（ステップＳ７０８のＹＥＳ）。一方、印刷を取りやめたい場合は、キャンセルボタン８１０を押下して、ダイレクトプリント処理を中止させることができる（ステップＳ７０８のＮＯ）。
【００３０】
以上のようにしてユーザによりファイルが選択され、選択されたファイルをダイレクトプリントすることが指示されると、印刷属性を設定する手順に移る。
まず、ステップＳ７０９において、プリンタ１０１は、ダイレクトプリント印刷属性設定テーブル６０１から、適用デバイス６０７の項目にデジタルカメラ１０２が設定されているプリントジョブ格納ボックスを選択する。図６に示したテーブル６０１では、デジタルカメラ１０２に適用する印刷属性をもつプリントジョブ格納ボックスは、プリントジョブ格納ボックス（００番）３０７とプリントジョブ格納ボックス（０４番）３１１であることが分かる。そこで、プリンタ１０１は、図９に示すような、ダイレクトプリント画面を表示する。
【００３１】
図９において、９０１はダイレクトプリント画面（印刷ファイル選択画面）である。９０２は項目名表示欄である、９０３はプリントジョブ格納ボックス番号を表示する欄（ボックス番号表示欄）である。９０４は、プリントジョブ格納ボックスに設定されている名称を表示する欄（ボックス名称表示欄）である。９０５は、印刷属性を表示する欄（印刷属性表示欄）である。９０６は、印刷属性を確認あるいは変更する欄（印刷属性の確認・変更ボタン）である。９０７および９０８は、ステップＳ７０９において、デジタルカメラ１０２に適した印刷属性をもつプリントジョブ格納ボックスを表示する欄である。すなわち、９０７および９０８は、プリントジョブ格納ボックス（００番）３０７とプリントジョブ格納ボックス（０４番）３１１とをラジオボタンとして表示する欄である。９０９および９１０は、プリントジョブ格納ボックスが一画面で収まらない場合にダイレクトプリント画面９０１をスクロールするためのスクロールボタンである。９１１はダイレクトプリントを行うと同時に、指定されたプリントジョブ格納ボックスに印刷ファイル選択画面８０１で選択したファイルを保存する指示を行うチェックボックスである。９１２は、ダイレクトプリント用の印刷属性が設定されているプリントジョブ格納ボックスをすべて表示するボタンである。９１３は、設定を無効にしてダイレクトプリントを中止するためのキャンセルボタンである。９１４は、指定された印刷属性で印刷を指示する印刷ボタンである。
【００３２】
ここで、ユーザは、デジタルカメラ１０２に入っているファイルすべてのファイルをサムネイル形式で印刷することとする。ユーザは、サムネイルの印刷属性でプリンタ１０１に印刷させるため、ラジオボタン９０８を選択する（ステップＳ７１０）。なお、ここに表示されている以外の印刷属性で印刷したい場合、ユーザは、すべて表示のボタン９１２を押下する。これにより、ダイレクトプリント用の印刷属性が設定されているすべてのプリントジョブ格納ボックス（００番、０２番〜０４番）３０７、３０９〜３１１を表示させることができる。また、ユーザが、これらのファイルを後で再度印刷したり、別な印刷属性で印刷したりすることなどを希望する場合には、ユーザは、チェックボックス９１１をチェックしておく。このようにすれば、指定したプリントジョブ格納ボックスにファイルが保存される。
ここまでのステップで印刷する準備が整ったため、ユーザが印刷ボタン９１４を押下することにより（ステップＳ７１１）、ステップＳ７１２において、プリンタ１０１は、印刷を実行する。一方、キャンセルボタン９１３を押下すると、ダイレクトプリント処理を中止させることができる（ステップＳ７１１）。
【００３３】
次に、２つ目の印刷ケースとして、ストレージデバイス１０３をプリンタ１０１に接続してダイレクトプリントを行う方法の一例を説明する。
このストレージデバイス１０３をプリンタ１０１に接続してダイレクトプリントを行う２つ目の印刷ケースについても、デジタルカメラ１０２をプリンタ１０１に接続してダイレクトプリントを行う１つ目の印刷ケースと同様に、図７に示したフローチャートをもとに説明するが、手順は１つ目のケースと同じであるため、同様の部分についての詳細な説明を割愛する。
【００３４】
まず、ステップＳ７０２において、ユーザは、ストレージデバイス１０３をプリンタ１０１にＵＳＢケーブル１０５を使用して接続する。
このＵＳＢケーブル１０５の接続をきっかけとして、ステップＳ７０３おいて、ストレージデバイス１０２とプリンタ１０１とが接続のネゴシエーションを行う。このネゴシエーションにより、ステップＳ７０４において、プリンタ１０１は、接続された外部デバイスの種類がストレージデバイス１０３であることを判別する。
【００３５】
次に、ステップＳ７０５において、プリンタ１０１は、ストレージデバイス１０３に保存されているファイルのリストを取得する。
次に、ステップＳ７０６において、ユーザがダイレクトプリントを行うファイルを選択するために、プリンタ１０１は、本体操作パネルに、ステップＳ７０５で取得したファイルのリストを表示する。
図１０は、ステップＳ７０６でプリンタ１０１の本体操作パネルに表示される画面の一例を示した図である。図１０において、１００１は印刷ファイル選択画面である。１００２は、ファイルをすべて選択するためのチェックボックスである。１００３〜１００７は、ステップＳ７０５のステップで取得したファイルを選択するためのファイルリストチェックボックスである。１００８および１００９は、ファイルを一画面に表示できない場合に印刷ファイル選択画面１００１をスクロールするためのボタンである。１０１０は、設定を無効にして終了するためのキャンセルボタンである。１０１１は、設定を有効にして印刷操作を次のステップに進めるためのボタンである。ここでは、印刷するファイルを"Meisaisho021209.pdf"と"Teiansho021209.pdf"とする。すなわち、印刷ファイルを選択するために、ユーザが、ファイルのチェックボックス１００３、１００５を選択したとする(ステップＳ７０７)。そして、これらのファイルのダイレクトプリントを行うため、ユーザはＯＫボタン１０１１を押下する（ステップＳ７０８のＹＥＳ）。
【００３６】
以上のようにしてユーザによりファイルが選択され、選択されたファイルをダイレクトプリントすることが指示されると、印刷属性を設定する手順に移る。
まず、ステップＳ７０９において、プリンタ１０１は、ダイレクトプリント印刷属性設定テーブル６０１から、適用デバイス６０７の項目にストレージデバイス１０３が設定されているプリントジョブ格納ボックスを選択する。図６に示したテーブル６０１では、ストレージデバイス１０３に適用する印刷属性をもつプリントジョブ格納ボックスは、プリントジョブ格納ボックス（００番）３０７と、プリントジョブ格納ボックス（０２番）３０９と、プリントジョブ格納ボックス（０３番）３１０であることが分かる。そこで、プリンタ１０１は、図１１に示すような、ダイレクトプリント画面を表示する。
図１１に示すダイレクトプリント画面１１０１は、図９に示したダイレクトプリント画面９０１と略同じであるが、１１０７、１１０８、および１１０９は、ステップＳ７０９において、ストレージデバイス１０３に適した印刷属性をもつプリントジョブ格納ボックスを表示する欄である、すなわち、１１０７、１１０８、および１１０９は、プリントジョブ格納ボックス（００番）３０７と、プリントジョブ格納ボックス（０２番）３０９と、プリントジョブ格納ボックス（０３番）３１０とをラジオボタンとして表示する欄である。ここで、ユーザは、ストレージデバイス１０３に入っているファイルのうち、印刷ファイル選択画面１１０１で指定した２つのファイルを左上ステープルで印刷することとする。ユーザは、左上ステープルの印刷属性で印刷をするため、ラジオボタン１１０９を選択する（ステップＳ７１０）。
ここまでのステップで印刷する準備が整ったため、ユーザは印刷ボタン１１１５を押下することにより（ステップＳ７１１）、ステップＳ７１２において、プリンタ１０１は、印刷を実行する。
【００３７】
以上のように本実施形態では、プリントジョブ格納ボックス（００番、０２番〜０４番）３０７、３０９〜３１１に、ダイレクトプリント用の印刷属性を設定しておき、ダイレクトプリント時に、外部デバイス１０２〜１０４に格納されているファイルのリストを表示して、ユーザに所望のファイルを選択させるようにするとともに、ダイレクトプリント画面９０１、１１０１を表示して、ユーザに所望のプリントジョブ格納ボックス（０４番）３１１を選択させるようにし、選択されたプリントジョブ格納ボックス（０４番）３１１に設定されている印刷属性で、選択されたファイルをダイレクトプリントするようにしたので、プリンタ１０１の操作パネルを使用して印刷属性を簡単に指定することができる。これにより、操作パネルや操作ボタンがない外部デバイスや、操作パネルや操作ボタンが小さい外部デバイスに格納されているファイルを容易にダイレクトプリントすることができる。
【００３８】
また、ダイレクトプリントを行う外部デバイスを判別し、判別した外部デバイスが低起用デバイスとして設定されているプリントジョブ格納ボックスのみをダイレクトプリント画面９０１、１１０１に表示するようにしたので、選択対象となるプリントジョブ格納ボックスの数を減らすことができ、ユーザは、プリントジョブ格納ボックスの選択を容易に行うことができる。したがって、ダイレクトプリント時における操作性をより向上させることができる。
【００３９】
さらに、ダイレクトプリント画面９０１、１１０１において、プリントジョブ格納ボックスにおける印刷属性の設定内容を、印刷属性の確認・変更ボタン９０６を押下することにより、確認及び変更することができるようにしたので、ダイレクトプリント画面９０１、１１０１における表示内容をより簡素化できる。これにより、ダイレクトプリント画面９０１、１１０１の視認性をより一層向上させることができ、ダイレクトプリント時における操作性をより一層向上させることができる。
【００４０】
なお、本実施形態では、図９及び図１１に示したダイレクトプリント画面９０１、１１０１にプリントジョブ格納ボックスを表示するに際して、外部デバイス１０２〜１０４に適したプリントジョブ格納ボックスを表示するようにしたが、その他、図７のステップＳ７０５で取得したファイルの数や、ファイルのフォーマットなどに基づいて、ダイレクトプリントに適した印刷属性が設定されているプリントジョブ格納ボックスを抽出してダイレクトプリント画面９０１、１１０１に表示するようにしてもよい。
また、プリンタ１０１をインターネットなどのネットワークに接続し、前記インターネットに接続されている他のプリンタのプリントジョブ格納ボックスに関する情報を取得して、前記他のプリンタのプリントジョブ格納ボックスを、プリンタ１０１の表示操作パネルに表示するようにしてもよい。
【００４１】
（第２の実施形態）
次に、本発明の第２の実施形態について説明する。前述した第１の実施形態では、ダイレクトプリント時に使用するプリントジョブ格納ボックスをプリンタ１０１で指定するようにしたが、本実施形態では、ダイレクトプリント時に使用するプリントジョブ格納ボックスを外部デバイスで指定するようにしている。これ以外の構成および動作は、前述した第１の実施形態と同じであるので、以下の説明では、第１の実施形態と同一部分についての詳細な説明を省略する。
【００４２】
図１２は、外部デバイスをプリンタに接続してダイレクトプリントを行う手順の一例を説明するフローチャートである。なお、本実施形態では、外部デバイスの一例として、デジタルカメラを用いた場合について説明するが、外部デバイスは、ＧＵＩとして機能する本体操作パネルと、記録媒体とを有していれば、デジタルカメラに限定されず、例えばＰＤＡなどであってもよい。
まず、ステップＳ１２０１において、ユーザは、デジタルカメラをプリンタにＵＳＢケーブルを使用して接続する。
次に、ステップＳ１２０２において、デジタルカメラとプリンタとが接続のネゴシエーションを行う。
【００４３】
次に、ステップＳ１２０３において、プリンタは、接続された外部デバイスの種類を判別する。本実施形態では、外部デバイスがデジタルカメラであることを判別する。
次に、ステップＳ１２０４において、デジタルカメラは、デジタルカメラが適用デバイスとなっているプリントジョブ格納ボックスに関わる情報を、プリンタから取得する。なお、前記において、プリントジョブ格納ボックスに関わる情報とは、プリントジョブ格納ボックスに設定されている印刷属性を含む情報である。
【００４４】
次に、ステップＳ１２０５において、ユーザがダイレクトプリントを行うファイルを選択するために、デジタルカメラは、本体操作パネルに、ファイルのリストを表示する。なお、このステップ１２０５において、デジタルカメラの本体操作パネルには、例えば図８に示すような画面が表示される。
次に、ステップＳ１２０６において、ユーザは、ステップＳ１２０５で表示した画面の中から所望のファイルを印刷対象ファイルとして選択する。そして、ステップＳ１２０７において、これらのファイルのダイレクトプリントを行うために、ユーザが、ステップＳ１２０５で表示した画面のＯＫボタンを押下する（ステップＳ１２０６のＹＥＳ）。
【００４５】
次に、ステップＳ１２０８において、デジタルカメラは、本体操作パネルに、ステップＳ１２０４で取得したプリントジョブ格納ボックスに設定されている印刷属性を表示する。このステップＳ１２０８において、デジタルカメラの本体操作パネルには、例えば図９に示すような画面が表示される。ただし、図９では、印刷ボタン９１４を表示するようにしているが、このステップＳ１２０８で表示する画面には、印刷ボタン９１４の代わりに、送信ボタンを表示するようにする。この送信ボタンは、ステップＳ１２０６で選択された印刷対象ファイルと、次のステップＳ１２０９で選択されるプリントジョブ格納ボックスに関する情報とを、デジタルカメラからプリンタに送信するためにユーザにより操作されるボタンである。
【００４６】
次に、ステップ１２０９において、ユーザは、所望の印刷属性をもつプリントジョブ格納ボックスを指定するために、ステップＳ１２０８で表示した画面内のラジオボタンを選択する。
ユーザが、ステップＳ１２０８で表示した画面内の操作ボタンを押下する（ステップＳ１２１０）と、ステップＳ１２１１において、デジタルカメラは、ステップＳ１２０６で選択された印刷対象ファイルと、ステップＳ１２０９で選択されたプリントジョブ格納ボックス（印刷属性）に関する情報とを、デジタルカメラからプリンタに送信する。これにより、プリンタは、デジタルカメラに格納されている印刷対象ファイルと、プリントジョブ格納ボックス（印刷属性）に関する情報とを取得する。
次に、プリンタは、ステップＳ１２１１で取得した印刷対象ファイルを、同じくステップＳ１２１１で取得した印刷属性で印刷する。
【００４７】
以上のように本実施形態では、外部デバイスが、ダイレクトプリント時に使用するプリントジョブ格納ボックスに関する情報を、プリンタから取得し、取得したプリントジョブ格納ボックスを、外部デバイスの本体表示パネルに表示して、印刷属性を指定するようにしたので、外部デバイスの本体表示パネルを用いて印刷属性を選択する場合であっても、プリンタで印刷属性を設定することができるとともに、ユーザは、プリントジョブ格納ボックス単位で印刷属性を指定することができ、印刷属性を可及的に簡単に指定することができる。したがって、操作パネルや操作ボタンが小さい外部デバイスに格納されているファイルを容易にダイレクトプリントすることができる。
【００４８】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００４９】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００５２】
【図１】本発明の第１の実施形態を示し、ダイレクトプリントシステムの構成の一例を示した図である。
【図２】本発明の第１の実施形態を示し、印刷属性をプリントジョブ格納ボックスに設定する際の手順の一例を説明するフローチャートである。
【図３】本発明の第１の実施形態を示し、プリントジョブ格納ボックスを操作するためのボックス操作画面の一例を示した図である。
【図４】本発明の第１の実施形態を示し、ダイレクトプリント印刷属性設定画面の一例を示した図である。
【図５】本発明の第１の実施形態を示し、ダイレクトプリント印刷属性の適用デバイス設定画面の一例を示した図である。
【図６】本発明の第１の実施形態を示し、ダイレクトプリント用の印刷属性の記録内容の一例を示した図である。
【図７】本発明の第１の実施形態を示し、外部デバイスをプリンタに接続してダイレクトプリントを行う方法の一例を説明するフローチャートである。
【図８】本発明の第１の実施形態を示し、印刷ファイル選択画面の一例を示した図である。
【図９】本発明の第１の実施形態を示し、ダイレクトプリント画面の一例を示した図である。
【図１０】本発明の第１の実施形態を示し、印刷ファイル選択画面の他の例を示した図である。
【図１１】本発明の第１の実施形態を示し、ダイレクトプリント画面の他の例を示した図である。
【図１２】本発明の第２の実施形態を示し、外部デバイスをプリンタに接続してダイレクトプリントを行う方法の一例を説明するフローチャートである。
【符号の説明】
【００５３】
１０１  プリンタ
１０２  デジタルカメラ
１０３  ストレージデバイス
１０４  ＰＤＡ
１０５  接続媒体
３０１  ボックス操作画面
３０３  ボックス番号表示欄
３０４  ボックス名称表示欄
３０５  ダイレクトプリント印刷属性表示欄
３０６  ダイレクトプリント印刷属性設定ボタン
３０７〜３１１  プリントジョブ格納ボックス
３１２、３１３  スクロールボタン
３１４  終了ボタン
４０１  ダイレクトプリント印刷属性設定画面
４０２  印刷属性表示欄
４０３  印刷属性設定値表示欄
４０４  チェックボックス
４０５〜４０９  リストボックス
４１０、４１１  スクロールボタン
４１２  キャンセルボタン
４１３  ＯＫボタン
５０１  適用デバイス設定画面
５０２〜５０６  デバイスチェックボックス
５０７  キャンセルボタン
５０８  ＯＫボタン
６０１  ダイレクトプリント印刷属性保存テーブル
６０２  ボックス番号
６０３  片面/両面
６０４  カラーモード
６０５  縮小レイアウト
６０６  ステープル
６０７  適用デバイス
８０１  印刷ファイル選択画面
８０２  ファイルをすべて選択するためのチェックボックス
８０３〜８０７  ファイルを選択するためのチェックボックス
８０８、８０９  スクロールボタン
８１０  キャンセルボタン
８１１  ＯＫボタン
９０１  ダイレクトプリント画面
９０２  項目名表示欄
９０３  ボックス番号表示欄
９０４  ボックス名称表示欄
９０５  印刷属性表示欄
９０６  印刷属性の確認・変更ボタン
９０７、９０８  ボックス表示用ラジオボタン
９０９、９１０  スクロールボタン
９１１  ファイルの保存を選択するためのチェックボックス
９１２  ボックスをすべて表示するためのチェックボックス
９１３  キャンセルボタン
９１４  印刷ボタン
１００１  印刷ファイル選択画面
１００２  ファイルをすべて選択するためのチェックボックス
１００３〜１００７  ファイルを選択するためのチェックボックス
１００８、１００９スクロールボタン
１０１０  キャンセルボタン
１０１１  ＯＫボタン
１１０１  ダイレクトプリント画面
１１０２  項目名表示欄
１１０３  ボックス番号表示欄
１１０４  ボックス名称表示欄
１１０５  印刷属性表示欄
１１０６  印刷属性の確認・変更ボタン
１１０７〜１１０９  ボックス表示用ラジオボタン
１１１０、１１１１  スクロールボタン
１１１２  ファイルの保存を選択するためのチェックボックス
１１１３  ボックスをすべて表示するためのチェックボックス
１１１４  キャンセルボタン
１１１５  印刷ボタン
【図１】
2005161728.tif 000003
【図２】
2005161728.tif 000004
【図３】
2005161728.tif 000005
【図４】
2005161728.tif 000006
【図５】
2005161728.tif 000007
【図６】
2005161728.tif 000008
【図７】
2005161728.tif 000009
【図８】
2005161728.tif 000010
【図９】
2005161728.tif 000011
【図１０】
2005161728.tif 000012
【図１１】
2005161728.tif 000013
【図１２】
2005161728.tif 000014